(57)【要約】【課題】  起毛で除去した塵埃を、吸込具本体から掃除機本体に円滑に吸引することが可能な電気掃除機の吸込具を提供する。【解決手段】掃除機本体１の先端に着脱可能に取り付けられる本体７８と、本体７８の先端に設けられる吸込口７９と、吸込口７９に設けられ、多数の起毛１５５を有するブレード体１５６とを備え、ブレード体１５６が本体７８に回動可能に軸支される網戸用ブラシワイパー８１であり、ブレード体１５６の回動に伴い、吸込口７９の開口面積が可変する。これにより、変形したり外れたりしやすい網Ｗであっても、ブレード体１５６の起毛１５５を効率的に摺接させて使用できる。しかも、ブレード体１５６の回動に伴って、吸込口７９の開口面積、ひいては風量が変化し、起毛１５５で除去した塵埃を本体７８から掃除機本体１へ円滑に吸引できる。【選択図】図１５
2016049154.tif 000002
【特許請求の範囲】
【請求項１】
掃除機本体に着脱可能に取り付けられる吸込具本体と、
この吸込具本体の先端に設けられる吸込口と、
この吸込口に設けられ、多数の起毛を有するブレード体と、を備え、
このブレード体が前記吸込具本体に対し回動可能に軸支される電気掃除機の吸込具において、
前記ブレード体の回動に伴い、前記吸込口の開口面積が可変するように構成したことを特徴とする電気掃除機の吸込具。
【請求項２】
前記吸込具本体が付勢手段を有し、
前記吸込口の開口面積を狭める方向に、前記ブレード体が前記付勢手段により付勢される構成としたことを特徴とする請求項１記載の電気掃除機の吸込具。
【請求項３】
前記吸込具本体が前記吸込口の一側に延出部を有し、
前記ブレード体が前記付勢手段により付勢されると、前記起毛が前記延出部に接触する構成としたことを特徴とする請求項２記載の電気掃除機の吸込具。
【発明の詳細な説明】
【技術分野】
【０００１】
本発明は、電気掃除機の吸込具に関する。
【背景技術】
【０００２】
従来、この種の電気掃除機の吸込具は、先端側に吸込口を設けてなる吸込口体（本願発明の吸込具本体に相当）を、掃除機本体に着脱可能に取り付けて使用するが、特に網戸等に付着した汚れを除去するために、前記吸込口体に回動可能に軸支された状態で、無数の立毛を有する面状ブラシを備えた面状ブラシ板（本願発明のブレード体に相当）を吸気口に設けたものが提案されている（例えば特許文献１）。
【先行技術文献】
【特許文献】
【０００３】
【特許文献１】特開２００６−１８１１７０号公報
【発明の概要】
【発明が解決しようとする課題】
【０００４】
上記特許文献１の吸込具では、ブレード体を軸回りに回動可能に取り付けることで、網戸等、変形したり外れたりしやすい被清掃体においても、起毛を網戸の網に摺擦させて、網目に付着する塵埃を容易に擦り取ることが可能になる。
【０００５】
しかし、吸込具により除去された塵埃が、吸込具本体から掃除機本体に円滑に吸い取られなければ、こうした塵埃が起毛に絡み付いてしまい、吸込具の手入れが大変になる他、起毛に付着した塵埃が起毛から落下して、周辺が汚れる虞もある。また、起毛に塵埃が付着したまま吸込具を使用すると、網戸などの汚れが効果的に除去できない問題があった。
【０００６】
更に上記吸込具では、ブレード体を被清掃体である網戸に当てたときに、網に対して不意に強い力が直接的に加わると、網戸枠の溝から網が引き出されて、最悪の場合、網が網戸枠から外れてしまう等の問題があった。
【０００７】
本発明は以上の問題点を解決し、起毛で除去した塵埃を、吸込具本体から掃除機本体に円滑に吸引することが可能であり、加えて、ブレード体から被清掃体に対して、強い力が直接加わらないようにすることが可能な電気掃除機の吸込具を提供することを目的とする。
【課題を解決するための手段】
【０００８】
本発明の請求項１に記載の電気掃除機の吸込具は、掃除機本体に着脱可能に取り付けられる吸込具本体と、この吸込具本体の先端に設けられる吸込口と、この吸込口に設けられ、多数の起毛を有するブレード体と、を備え、このブレード体が前記吸込具本体に対し回動可能に軸支される電気掃除機の吸込具において、前記ブレード体の回動に伴い、前記吸込口の開口面積が可変するように構成したことを特徴とする。
【０００９】
また、本発明の請求項２に記載の電気掃除機の吸込具は、請求項１において、前記吸込具本体が付勢手段を有し、前記吸込口の開口面積を狭める方向に、前記ブレード体が前記付勢手段により付勢される構成としたことを特徴とする。
【００１０】
また、本発明の請求項３に記載の電気掃除機の吸込具は、請求項２において、前記吸込具本体が前記吸込口の一側に延出部を有し、前記ブレード体が前記付勢手段により付勢されると、前記起毛が前記延出部に接触する構成としたことを特徴とする。
【発明の効果】
【００１１】
本発明の請求項に記載の電気掃除機は、以上のように構成することにより、吸込具本体に対してブレード体を回動可能に軸支した状態で吸込口に設けることで、被清掃体と吸込口との距離を近づけた状態でブレード体の起毛を効率的に摺接させて、塵埃を吸込口から効率的に吸引することができる。しかも、単にブレード体が回動するだけでなく、その回動に伴って吸込口の開口面積、ひいては風量が変化するので、起毛で除去した塵埃を、吸込具本体から掃除機本体へ円滑に吸引することが可能になる。
【００１２】
また、ブレード体と吸込具本体との間に付勢手段を介在させることで、ブレード体を被清掃体に当てたときに、被清掃体に対する衝撃を和らげることができる。これにより、ブレード体から被清掃体に対して、強い力が直接加わらないようにすることが可能になる。しかも、付勢手段の付勢力に抗して、ブレード体を被清掃体に押し当てているときには、吸込口の開口面積が広がるので、起毛で擦り取られる大量の塵埃を円滑に吸い込むことができ、その後、付勢手段の付勢力により吸込口の開口面積を狭めることで、前記ブレード体に沿って吸込口から吸引される風速が速くなるので、ブレード体に残った塵埃を効果的に除去することができる。
【００１３】
更に、起毛に塵埃が絡み付いたとしても、起毛が延出部に接触するようにブレード体を付勢しているため、延出部が起毛からの塵埃の落下を防いで、吸引具の周辺が塵埃で汚れるのを効果的に防止できる。
【図面の簡単な説明】
【００１４】
【図１】本発明の実施例１を示す電気掃除機の断面図である。
【図２】同、要部の拡大断面図である。
【図３】同、側面図である。
【図４】同、底面図である。
【図５】同、本体ケースの分解斜視図である。
【図６】同、集塵ケース及び液体タンクの分解斜視図である。
【図７】同、アタッチメントの分解斜視図であり、（ａ）は窓用ワイパー、（ｂ）は網戸用ブラシワイパーである。
【図８】同、充電台の分解斜視図である。
【図９】同、気液分離手段の正面図である。
【図１０】同、気液分離手段を上方から見た斜視図である。
【図１１】同、気液分離手段を下方から見た斜視図である。
【図１２】同、液体タンクの斜視図である。
【図１３】同、液体タンクを上方から見た斜視図である。
【図１４】同、縦向き使用時における液体タンク周辺の拡大断面図である。
【図１５】同、更に好適な網戸用ブラシワイパーの例を示す斜視図である。
【図１６】同、図１５の網戸用ブラシワイパーを装着した電気掃除機の側面図である。
【図１７】同、図１５の網戸用ブラシワイパーを装着した電気掃除機の底面図である。
【図１８】同、図１５の網戸用ブラシワイパーにおいて、ブレード体に外力が加わっていない状態の縦断面図である。
【図１９】同、図１５の網戸用ブラシワイパーにおいて、ねじりばねの付勢に抗してブレード体に外力が加わっている状態の縦断面図である。
【図２０】同、図１５の網戸用ブラシワイパーの分解斜視図である。
【図２１】同、図１５とは別な例の網戸用ブラシワイパーにおいて、ブレード体に外力が加わっていない状態の縦断面図である。
【図２２】同、図１５や図２１とは別な例の網戸用ブラシワイパーにおいて、ねじりばねの付勢に抗してブレード体に外力が加わっている状態の縦断面図である。
【発明を実施するための形態】
【００１５】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１６】
以下、本発明の実施例１について、図１〜図１４に基づいて説明する。なお、主として、図１における左側を前、右側を後として説明する。また、図１における上下は、実際の上下と一致する。１は電気掃除機の掃除機本体である。この掃除機本体１を構成する本体ケース２の上部には、握り部となるハンドル等とも称せられる把手部３が設けられている。また、前記本体ケース２は、その後部に、充電式電池４が収納された電池パック５を着脱可能に装着している。そして、この電池パック５を覆うように、蓋体５Ａが前記本体ケース２に対し着脱可能に取り付けられている。なお、前記蓋体５Ａの後面は、平坦に形成されている。なお、この蓋体５Ａが掃除機本体１を縦置きに載置する際の載置部となる。また、この載置部たる蓋体５Ａは載置面５Ｓを有し、この載置面５Ｓは平面である。また、前記本体ケース２内には、前記充電式電池４に電気的に接続され、駆動軸６Ａを有するモータ６を備える。前記モータ６は、モータケース６Ｃと前記本体ケース２によって囲われており、前記駆動軸６Ａは前記モータケース６Ｃに設けられた貫通孔６Ｈを介して、羽根７に接続されている。また、前記羽根７は、羽根ケース７Ｃ内に収納されている。なお、これら前記羽根７と、前記羽根ケース７Ｃと、前記モータ６とによって電動送風機８が構成される。更に、本体ケース２の下部には、液体タンク９が着脱自在に設けられている。
【００１７】
そして、前記本体ケース２の前面２Ｍには、先端側に吸込口１０を設けた集塵ケース１１が着脱可能に取り付けられている。また、前記集塵ケース１１は、その後部開口１２が前記本体ケース２の前面２Ｍに取り付けられている。なお、前記本体ケース２が前記掃除機本体１の基部であり、前記集塵ケース１１が前記掃除機本体１の集塵部である。
【００１８】
また、前記本体ケース２の前面２Ｍの上側に吸気口用接続口１３を設け、この吸気口用接続口１３が、前記羽根ケース７Ｃの一次側開口７Ａに連通する。また、前記羽根ケース７Ｃの二次側開口７Ｂが、前記本体ケース２の側面２Ｓに形成された排気孔１４に連通する。従って、前記羽根７を回転駆動すると、前記吸気口用接続口１３から取り込まれた気体等が、前記羽根ケース７Ｃを通って前記排気孔１４から外部に排出される。なお、図５に示すように、前記吸気口用接続口１３は方形である。
【００１９】
前記本体ケース２には、前記液体タンク９の取付部１５が形成されている。この取付部１５は、前記本体ケース２の下部を切り欠くようにして形成され、前記本体ケース２の下面２Ｋと、この下面２Ｋの前側に設けた取付部前面２Ｔとを備えている。この取付部前面２Ｔは、前記本体ケース２の前記前面２Ｍの下部と間隔を置いてその後側に設けられている。なお、前記下面２Ｋは平坦面である。また、前記前面２Ｍの下側には、流入口用接続口１６が設けられ、この流入口用接続口１６と、前記取付部前面２Ｔのタンク用接続口１７とが、前記本体ケース２に設けられた連通筒部１８により連通する。
【００２０】
更に、把手部３の上面には、前記電動送風機８の電源スイッチ１９の操作部１９Ａが設けられている。
【００２１】
そして、前記集塵ケース１１には、前記吸込口１０から吸引した気液混合物を気体と液体に分離する気液分離手段２１が設けられている。この気液分離手段２１は、前記後部開口１２から前記集塵ケース１１内に着脱自在に取り付けられる。
【００２２】
前記気液分離手段２１は、前記吸込口１０から吸引された気液混合物が衝突する壁部２２と、吸気口２３を有するフィルター手段２４とを備え、前記壁部２２が前記吸気口２３を覆っている。前記フィルター手段２４は、前記本体ケース２に前記集塵ケース１１を取り付けた状態で、前記本体ケース２の前面２Ｍを覆う本体２５と、この本体２５から前記吸込口１０側に突出した筒状部２６とを一体に備えている。なお、前記フィルター手段２４は、合成樹脂からなる。なお、前記本体２５がフィルター手段の基部である。また、前記本体２５の周囲には、リング部２７が設けられ、このリング部２７にシール部材２８が外装している。そして、前記リング部２７が前記後部開口１２に内嵌し、前記シール部材２８により気密性及び水密性が保持される。なお、図９等に示すように、前記本体２５は正面視で、縦長の略楕円形をなす。また、前記本体２５は、主面２５Ｓを有する。この主面２５Ｓは、図１のように電気掃除機本体１を横向きの姿勢した際、前記本体２５の下側（液体タンク９側）がこの上側（把手部３側）よりも後方となるよう、垂直よりも傾いた角度の面となる。即ち、前述した載置部たる蓋体５Ａの前記載置面５Ｓと、前記主面２５Ｓとの距離は、上側（把手部３側）の距離よりも下側（液体タンク９側）の距離が短く形成される。更に、図６に示すように、前記本体２５には、正面視で前記本体２５の左右方向中央に突条部２５Ｔが設けられ、この突条部２５Ｔの下端が前記流出口３５へと繋がっている。
【００２３】
前記筒状部２６は角筒であり、その後部２６Ｋが前記吸気口用接続口１３に連通する。また、前記筒状部２６の前面２６Ｍには、フィルター支持部２９が設けられている。このフィルター支持部２９は、縦，横の枠材３０，３０を交差方向に形成した格子状をなす。また、前記フィルター支持部２９の先端側には、前記筒状部２６より大きな拡大筒状部３１が設けられ、前記筒状部２６と拡大筒状部３１との間には拡大部３１Ｋが設けられている。また、前記拡大筒状部３１の先端周囲には、鍔部３１Ｔが周設されている。そして、前記拡大筒状部３１の中心線は前記筒状部２６の中心線に対して、上向きに設けられ、前記拡大筒状部３１の先端に前記吸気口２３が設けられている。なお、前記フィルター支持部２９の垂線は、拡大筒状部３１の中心線とほぼ同一方向をなす。
【００２４】
また、前記拡大筒状部３１内にはスポンジ状のフィルター３２が設けられている。このフィルター３２は、前記拡大筒状部３１に内嵌するブロック状であって、通気性を有する。
【００２５】
また、前記前面２Ｍには、前記吸気口用接続口１３を囲むように、環状のシール材３３が配置され、前記筒状部２６の後端には、前記シール材３３に圧接する突条枠部３４が後方に突設されている。そして、前記本体ケース２に前記集塵ケース１１を取り付けた状態で、前記突条枠部３４が前記シール材３３に当接して、前記筒状部２６が吸気口用接続口１３に気密に接続される。
【００２６】
更に、前記フィルター手段２４の本体２５の下側には、前記流入口用接続口１６に連通する筒状の流出口３５が設けられ、この流出口３５にはメッシュ状のフィルター３６が設けられている。そして、前記本体ケース２に前記集塵ケース１１を取り付けた状態で、前記流出口３５が前記流入口用接続口１６に連通する。
【００２７】
更に、前記前面２Ｍには、前記流入口用接続口１６を囲むように、環状のシール材３３Ａが配置され、前記流出口３５の後端には、前記シール材３３Ａに圧接する突条枠部３４Ａが後方に突設されている。そして、前記本体ケース２に前記集塵ケース１１を取り付けた状態で、前記突条枠部３４Ａが前記シール材３３Ａに当接して、筒状の流出口３５が流入口用接続口１６に気密且つ水密に接続される。なお、前記シール材３３，３３Ａはパッキンなどからなる。
【００２８】
前記本体２５の中央側には、前記吸気口２３側に突出した係合段部３７が形成されている。また、前記壁部２２には、壁部取付体４１が一体に設けられている。この壁部取付体４１は、前記係合段部３７に着脱自在に外嵌する係合枠部４２を備え、この係合枠部４２は上枠部４２Ａと左，右枠部４２Ｂ，４２Ｂを一体に有する。これらの左，右枠部４２Ｂ，４２Ｂには、上下の切込み部４３，４３の間に弾性爪部４４を設けている。そして、前記切込み部４３は、前後方向に形成されており、前記弾性爪部４４が弾発的に係止する係止突起３７Ｔが前記係合段部３７に設けられている。
【００２９】
従って、前記フィルター手段２４に前記壁部２２を被せ、前記係止突起３７Ｔに前記弾性爪部４４を係止することにより、前記フィルター手段２４と前記壁部２２とを一体に組み立てることができ、組立後、前記フィルター手段２４と前記壁部２２を前記後部開口１２から前記集塵ケース１１内に組み込むことができる。また、逆に、前記集塵ケース１１内から前記フィルター手段２４と前記壁部２２を取り外し、前記フィルター手段２４を前記壁部２２から離すようにして、係止手段たる前記係止突起３７Ｔと前記弾性爪部４４の係止を解除することにより、前記フィルター手段２４と前記壁部２２とを分解することができる。
【００３０】
図９〜図１１に示すように、前記壁部２２は、前記係合枠部４２の左，右枠部４２Ｂ,４２Ｂから左,右壁部５１，５１を前側（吸込口１０側）に突設し、これら左，右壁部５１，５１の前側を前壁部５２により連結して形成されている。なお、前記壁部２２には、前記左，右壁部５１，５１及び前記前壁部５２の上縁によって囲まれた上部開口５３が設けられている。また、前記前壁部５２は、連続する前壁部上部５２Ａと、前壁部正面部５２Ｂと、前壁部下部５２Ｃとからなり、前記前壁部５２には吸気口側に湾曲状に凹んだ凹部５４が形成されている。
【００３１】
前記前壁部上部５２Ａは、前記筒状部２６と略平行に形成され、前記前壁部正面部５２Ｂは、前記吸気口２３と略平行に形成され、前記前壁部下部５２Ｃは、前記筒状部２６と前記拡大筒状部３１の下側を覆うように、且つ前記前壁部正面部５２Ｂから前記流出口３５へ導くように、この前記流出口３５の前側に延びて形成されている。また、前記凹部５４の左右方向中央には、左右方向一定幅の突条部５５が前記前壁部５２の略全長に亘って上下方向に設けられている。更に、図１１に示すように、前記前壁部下部５２Ｃの後端縁には、左右に切り欠き状の開口部５６，５６を設け、これら開口部５６，５６の前端位置５６Ｔ，５６Ｔより前記突条部５５の後端が後方に延設されている。また、図９に示すように、前記前壁部上部５２Ａに比べて、前記前壁部正面部５２Ｂ及び前壁部下部５２Ｃは左右方向に幅広に形成されている。
【００３２】
前記集塵ケース１１は、後部から前部に向かって幅狭となる形状をなしている。また、前記集塵ケース１１は、前記本体ケース２と連なるように、円弧状の上面１１Ａ、左，右側面１１Ｂ，１１Ｂ、及び円弧状の下面１１Ｃを有している。そして、前記集塵ケース１１は、中空部６１を内部に形成して、この中空部６１内に塵埃を貯留できるようになっている。
【００３３】
また、前記集塵ケース１１の後下部には係止部６２が設けられ、この係止部６２が、前記本体ケース２の前側下部に設けた溝状の係止受部６３に係脱する。更に、前記集塵ケース１１の後上部には、係止爪からなる係止受部６４が設けられている。この係止受部６４に係脱可能な係止部６５を有する係止操作部６６が、前記本体ケース２の上部に回動可能に軸支されている。そして、前記係止部６５が係止する方向に前記係止操作部６６を付勢する付勢手段（図示せず）が設けられている。また、前記集塵ケース１１の後部左右には、前記左，右側面１１Ｂを後方に延長したカバー部６７が前記本体ケース２の前側側面を覆うように設けられている。
【００３４】
従って、まず、下側において、前記係止部６２を前記係止受部６３に係止させた後、前記集塵ケース１１の上部を前記本体ケース２側に近付け、前記係止部６５に前記係止受部６４を係止させることにより、前記本体ケース２の前側に前記集塵ケース１１が取り付けられる。この取付状態で、前記吸気口用接続口１３に前記筒状部２６の後部２６Ｋが連通し、前記流入口用接続口１６に前記流出口３５が連通し、更に、前記カバー部６７が、それぞれ前記本体ケース２の前側両側面を覆う。
【００３５】
また、前記吸込口１０には、アタッチメントを着脱する受筒部７１が設けられ、この受筒部７１は左右横長に形成されている。また、前記集塵ケース１１の先端の上面１１Ａには、凹所７２を形成し、この凹所７２に連結解除ボタン７３を軸支している。前記凹所７２には、貫通孔７４を形成し、この貫通孔７４に前記連結解除ボタン７３の係止部７５が係入し、この係止部７５を前記貫通孔７４に係入する方向に前記連結解除ボタン７３を付勢する付勢手段（図示せず）を備える。
【００３６】
一方、電気掃除機の吸引具としてのアタッチメントには、前記受筒部７１に挿入される挿入筒部７６を設け、この挿入筒部７６に前記係止部７５が係止する係止受部たる係止孔７５Ａを設けている。従って、図１に示すように、前記受筒部７１に前記挿入筒部７６を挿入し、前記係止部７５が前記係止孔７５Ａに係止することにより、アタッチメントが前記集塵ケース１１の先端側に連結固定される。一方、前記連結解除ボタン７３を操作して、前記係止孔７５Ａへの前記係止部７５の係止を解除することにより、アタッチメントを取り外すことができる。
【００３７】
図７（ａ）に示すアタッチメントは、窓用ワイパー７７である。この窓用ワイパー７７は、略Ｔ字状の本体７８の先端にスリット状の吸込口７９を有し、この吸込口７９の上下にゴム製等の上，下ブレード８０，８０Ａを設けると共に、前記本体７８の基端に前記挿入筒部７６が設けられている。なお、前記本体７８は、上，下半体７８Ａ，７８Ｂを組み立ててなる。そして、前記上，下ブレード８０，８０Ａの間から液体等を吸引することができる。
【００３８】
また、図７（ｂ）に示すアタッチメントは、網戸用ブラシワイパー８１である。この網戸用ブラシワイパー８１は、略Ｔ字状の本体７８の先端にスリット状の吸込口７９を有し、この吸込口の上部に布製ブレード８２を設けると共に、前記本体７８の基端に前記挿入筒部７６が設けられている。なお、前記本体７８は、上，下半体７８Ａ，７８Ｂを組み立ててなる。また、前記布製ブレード８２は二つ折りされており、内部に心材８２Ａが挿入されている。そして、前記布製ブレード８２が網戸の網に接触することにより、網からゴミを掻き落として吸引することができる。なお、前記布製ブレード８２は、塵埃を掻き落とす多数の起毛を有する。
【００３９】
更に、図６に示すアタッチメントは、隙間ノズル８３である。この隙間ノズル８３は、筒状の本体８４と、この本体８４の先端に設けられたノズル取付部８５に対し選択的に接続される隙間用ブラシ８６と隙間用柔らかノズル８７とで構成される。なお、前記本体８４の基端には、挿入筒部７６が設けられている。また、前記隙間用ブラシ８６は、先端にブラシ部８６Ａを有している。更に、前記隙間用柔らかノズル８７は、ゴム等の弾性体からなる。
【００４０】
前記本体ケース２の後下部には、コネクタ９０が突設されている。また、図８は充電台９１を示す。この充電台９１は、載置台部９２とアタッチメント用保持台部９３とを一体に備える。前記載置台部９２には、前記本体ケース２の後部を載置する載置部９２Ａが設けられると共に、前記コネクタ９０と電気的に接続するコネクタ受部９４が設けられている。また、前記保持台部９３の上面９３Ａには、前記アタッチメントを取り付け保持するための取付部９５が複数突設され、この取付部９５を前記アタッチメントの前記挿入筒部７６に挿入することにより、前記アタッチメントが保持される。
【００４１】
また、電源コード９６が、回路基板等を内蔵した電源用ボックス９７に接続され、これらの下部が下カバー９８により覆われている。更に、前記電源用ボックス９７に、前記コネクタ受部９４が電気的に接続されている。
【００４２】
更に、前記上面９３Ａに対応した保持枠体９９を設けている。この保持枠体９９は、線材からなり、その端部９９Ａ，９９Ａを前記充電台９１の装着孔９１Ａ，９１Ａに装着することにより、前記上面９３Ａと一定間隔を置いて前記保持枠体９９が取り付けられる。従って、前記取付部９５を前記挿入筒部７６に挿入して、前記取付部９５に保持されたアタッチメントの周囲を、前記保持枠体９９が囲む。
【００４３】
前記液体タンク９は、合成樹脂製であって、タンク本体１０１と、このタンク本体１０１に外装固定する取付体１０２と、前記タンク本体１０１に着脱自在に設けられた栓体１０３とを備える。前記タンク本体１０１は、ブロー成形により成形されており、上面部１０４と前面部１０５と湾曲面状の下側面部１０６とを備えた中空形状をなし、前記前面部１０５には前記栓体１０３を装着する装着筒部１０７が突設されている。なお、図１に示す使用状態において、前記装着筒部１０７の中心線は前側が高い斜め方向を向く。また、前記装着筒部１０７は、前記タンク本体１０１の前面部１０５の上側に設けられている。
【００４４】
前記取付体１０２は、前記タンク本体１０１の前面部１０５に沿う帯状の前板部１１１と、前記下側面部１０６の中央に沿う前後方向の帯状部１１２とを一体に備え、前記前板部１１１の左右に係止腕部１１３,１１３を設けている。この係止腕部１１３は、前後方向の内片部１１４と、この内片部１１４の後端から外側に向かって設けられた後片部１１５と、この後片部１１５の外端から前側に向かって設けられた外片部１１６と、この外片部１１６の前端に設けられた係止部たる係止爪部１１７とを一体に備える。
【００４５】
また、前記本体ケース２の取付部前面２Ｔの内面に、前記係止爪部１１７が係脱する係止受部２Ｒが設けられている。更に、前記帯状部１１２の後部には、前記タンク本体１０１の上面部１０４の後部に外嵌係止する外嵌係止部１１８を設け、この外嵌係止部１１８の上部に、断面略Ｔ字状の係止部１１９が設けられる。一方、前記本体ケース２の後部には、前記係止部１１９が係止する前後方向の係止溝部１２０が設けられている。なお、この係止溝部１２０は、Ｔ字状をなす。そして、前記係止爪部１１７及び係止部１１９により、前記液体タンク９を前記掃除機本体１に対し着脱可能とする着脱手段１１０を構成している。
【００４６】
また、前記タンク本体１０１の前面部１０５の左右には、前記係止腕部１１３の少なくとも一部を収納する収納凹所１０８，１０８が形成されている。更に、前記前板部１１１と帯状部１１２の厚さに対応して凹んだ凹部１０９が、前記前面部１０５と下側面部１０６とに連続形成されている。
【００４７】
従って、左右の前記係止腕部１１３，１１３を前記収納凹所１０８，１０８に収納すると共に、前記外嵌係止部１１８を前記タンク本体１０１の上面部１０４の後部に係止することにより、前記タンク本体１０１の外面に前記取付体１０２を一体的に設けることができる。そして、前記栓体１０３を前記装着筒部１０７に装着した状態で、前記取付部１５に対して前記液体タンク９を前方に移動させ、前側では左右の前記係止受部２Ｒ，２Ｒに左右の前記係止爪部１１７，１１７を係止し、後側では前記係止溝部１２０に前記係止部１１９を係止することにより、前記取付部１５に前記液体タンク９を取り付けることができる。一方、左右の前記外片部１１６，１１６を内側に押してやれば、前記係止受部２Ｒ７Ａ，６７Ａと前記係止爪部１１７，１１７との係止が解除され、前記液体タンク９を後側に引き抜くようにして前記取付部１５から取り外すことができる。
【００４８】
図１，図２及び図１４等に示すように、前記栓体１０３は、円筒状の栓本体１２１の前端に、該栓本体１２１より径大な円筒状の挿入筒部１２２を一体に備えている。そして、前記栓本体１２１内の下部には、内筒部１２３が配置されている。なお、この内筒部１２３の前端は、前記挿入筒部１２２の前端側から前方に突出して設けられている。また、前記栓体１０３の後端に、端板部１２４を設け、前記栓本体１２１の後端上部に前記タンク本体１０１に連通する上孔１２１Ａを設けると共に、前記栓本体１２１の後端下部に前記タンク本体１０１に連通する下孔１２３Ａを設けている。なお、前記上孔１２１Ａは前記内筒部１２３には連通ぜず、前記下孔１２３Ａは前記栓本体１２１には連通していない。
【００４９】
また、前記挿入筒部１２２の外周に溝部１２５を周設し、この溝部１２５にＯリング等のシール材１２６を装着している。これにより、前記装着筒部１０７内に前記挿入筒部１２２を挿入すると、前記シール材１２６により、両者間の水密状態が確保される。更に、挿入筒部１２２には、位置決め手段たる左右の鍔部１２７、１２７を設け、これら左右の鍔部１２７，１２７に係合部たる係合孔１２８，１２８を設け、これら係合孔１２８，１２８に係合する係合部たる係合突起１０７Ａ，１０７Ａを、前記装着筒部１０７の外周に設けている。
【００５０】
そして、前記栓体１０３の栓本体１２１を、前記装着筒部１０７から前記液体タンク９内に挿入し、前記装着筒部１０７内に前記挿入筒部１２２を内嵌すると、前記シール材１２６が前記装着筒部１０７に圧接し、前記液体タンク９が止水され、前記タンク本体１０１に前記栓体１０３が取り付けられる。また、前記係合孔１２８，１２８と前記係合突起１０７Ａ，１０７Ａが係合することにより、前記栓体１０３の上下が位置決めされた状態で前記液体タンク９に装着される。
【００５１】
液体タンク９を取り付けた後、図１に示すように、前記取付部１５に前記液体タンク９を取り付けると、前記連通筒部１８の後側が前記挿入筒部１２２内に挿入されると共に、前記タンク用接続口１７が前記栓体１０３に接続される。また、この接続状態で、前記内筒部１２３の先端側は前記連通筒部１８内に配置され、前記内筒部１２３の先端が流入口用接続口１６に近接し、また、前記連通筒部１８が前記挿入筒部１２２内に挿入接続される。なお、図１に示す使用状態において、前記栓本体１２１は、前側が高くなるように斜め向きとなり、前記筒状部２６及び前記吸込口１０は、前側が低くなるように斜め向きとなる。
【００５２】
次に、図１５〜図２０を参照しながら、前記図７（ｂ）で示した網戸用ブラシワイパー８１の更に好適な例を説明する。これらの各図において、網戸用ブラシワイパー８１は、樹脂製で略Ｔ字状の本体７８の先端に、横長スリット状で前方に開口する吸込口７９を有し、この吸込口の上部に布製ブレード８２を設けると共に、前記本体７８の基端に前記挿入筒部７６が設けられている。ここでの本体７８は、前述した上，下半体７８Ａ，７８Ｂの間に、別な中間体７８Ｃを介在して組み立てられる。前記下半体７８Ａと中間体７８Ｃは、前記本体７８の内部でダクト状の流通路１５１を形成しており、この流通路１５１の基端開口１５１Ａは挿入筒部７６に連通する一方で、前記流通路１５１の先端開口１５１Ｂは、前記上，下半体７８Ａ，７８Ｂにより形成される吸込口７９に連通する。
【００５３】
本例の心材８２Ａは、前記本体７８の左右方向に沿って延びる基部１５２を基端側に形成し、その基部１５２に連なる断面略円形状の舌片１５４を先端側に形成している。前記基部１５２と舌片１５４との境界部分において、この舌片１５４の下面には、横方向に沿って窪み１５３が形成される。また、前記舌片１５４の窪み１５３を覆うように、面状の布製ブレード８２が湾曲して貼り付けられ、この布製ブレード８２の外面には、塵埃を掻き落とす多数の起毛１５５が密生して植設される。なお、前記窪み１５３は、前記布製ブレード８２の厚さ（起毛１５５の厚さを除き、図示しない接着層の厚さを含む）と略同等、もしくは布製ブレード８２の厚さよりも若干深く形成されるため、前記舌片１５４の外面に前記布製ブレード８２が貼り付けられた際には、前記基部１５２と舌片１５４との境界部分に段差がほとんど生じない。また、前記布製ブレード８２は、前記舌片１５４の外面を覆うように湾曲して貼り付けられるが、前記布製ブレード８２の上端８２Ｂは、布製ブレード８２の下端８２Ｃよりも後方（基端開口１５１Ａ側）に位置する。そして、前記布製ブレード８２の下端８２Ｃは、前記基部１５２と舌片１５４との境界部分に設けられた前記窪み１５３内に位置し、この窪み１５３より後方の前記基部１５２の下面には布製ブレード８２は貼り付けない。そしてここでは、前記心材８２Ａに前記布製ブレード８２を装着してなる前記ブレード体１５６が、前記布製ブレード８２の先端側を前記吸込口７９より前方に露出させた状態で、前記本体７８に対して回動可能に設けられており、前記布製ブレード８２が網戸の網Ｗに接触することにより、網Ｗからゴミを掻き落として吸引する構成となっている。
【００５４】
前記心材８２Ａの基部１５２は、前記上半体７８Ａと前記中間体７８Ｃとの間に形成した凹部１５８に隙間を有して回動可能に収容軸支される。これに伴い、前記布製ブレード８２が前記吸込口７９を部分的に覆う前記ブレード体１５６も、前記本体７８に対し前記基部１５２を中心として上下に回動可能に設けられる。また、この基部１５２には、前記ブレード体１５６を下方すなわち吸込口７９の開口面積を狭める方向に付勢するために、左右一対のねじりばね１６１が設けられる。各ねじりばね１６１は、コイル部１６１Ａの両端にアーム部１６１Ｂ，１６１Ｃを繋げて構成され、前記心材８２Ａに形成した軸片１６２にコイル部１６１Ａが挿入され、心材８２Ａに形成した溝１６３に一方のアーム部１６１Ｂが係合され、中間体７８Ｃに形成したリブ１６４の間に他方のアーム部１６１Ｃが係合される。このリブ１６４は、コイル部１６１Ａの一端側と他端側で軸片１６２をそれぞれ軸支する軸受部を兼ねており、前記ねじりばね１６１や心材８２Ａが本体７８から離脱するのを防止している。
【００５５】
前記吸込口７９の下側には、前方に向けて突出する延出部１６６が、下半体７８Ｂと一体的に形成される。本例では、前記舌片１５４の外面全体を覆うように前記布製ブレード８２が装着されるので、図１８に示すように、前記ブレード体１５６にねじりばね１６１の付勢力だけが加わる状態や、或いは前記布製ブレード８２を網戸の網Ｗに接触させて、網戸用ブラシワイパー８１を下から上に動かしたときには、前記基部１５２の下面が前記凹部１５８の内面に当接して、前記布製ブレード８２の外面下側で前記起毛１５５の先端が前記延出部１６６に接触する位置にまでブレード体１５６が移動し、前記吸込口７９の開口面積が最小となる。一方、図１９に示すように、布製ブレード８２を網戸の網Ｗに接触させて、網戸用ブラシワイパー８１を上から下に動かしたときには、前記ねじりばね１６１の付勢力に抗して前記ブレード体１５６が上方に揺動することで、前記吸気口７９の開口面積が大きくなり、前記基部１５２の上面が前記凹部１５８の内面に当接する位置まで前記ブレード体１５６が移動した時に、前記吸込口７９の開口面積が最大となる。従って、本例の網戸用ブラシワイパー８１は、外力により前記ブレード体１５６を角度αの範囲で上下に回動させることにより、前記ブレード体１５６と前記延出部１６６との間に形成される吸気口７９の開口面積を自在に可変できる構成となっている。この角度αは、前記上半体７８Ａに形成され、前記凹部１５８から先端に向けて延びるカバー部１６７の形状を調整することで、好ましくは１０°〜２０°程度となるように設定される。
【００５６】
次に、前記構成について、その作用を説明する。結露が発生したガラス窓の掃除を行う場合、使用者は、前記集塵ケース１１の受筒部７１に前記窓用ワイパー７７を取り付けた後、前記電気掃除機本体１の把手部３を手で握って、前記吸込口７９が斜め上向きとなるようにして、上，下ブレード８０，８０Ａをガラス窓の被清掃体（図示せず）に近接させる。この場合、前記電池パック５の蓋体５Ａの後面が略水平となる（以下、縦向き使用時という）。そして、前記操作部１９Ａを操作すると、前記充電式電池４から電力が供給され、前記モータ６が作動することにより、前記羽根７が高速回転し、前記羽根ケース７Ｃにおいて一次側開口７Ａから吸い込んだ空気を二次側開口７Ｂから排気するようになる。このため、被清掃体上の水（結露水）は、前記吸込口７９から前記吸込口１０を経由して吸い込まれる。なお、被清掃体に汚れが付着していた場合、この汚れと共に水（結露水）が前記吸込口７９から前記吸込口１０を経由して吸い込まれる。
【００５７】
そして、水と空気とを含んだ気液混合物は、前記吸込口１０に対向する前記壁部２２に当たり、水と空気に分離する。水は主として、重力により、前記前壁部正面部５２Ｂと前壁部下部５２Ｃに沿って下方に流れ、前記流出口３５，流入口用接続口１６，栓体１０３と流れて、前記液体タンク９内に貯留される。この場合、前記前壁部５２には前記凹部５４が形成されているため、水が左右に広がらず、下方へと案内される。更に、前記凹部５４の中央には、前記突条部５５が連続して形成されているから、当たった水が突条部５５に案内されて下向きの流れとなって凹部５４に沿って落下する。なお、被清掃体に付着していた汚れを水と共に吸い込んだ場合、この汚れは水と共に前記液体タンク９に貯留される。
【００５８】
また、気液混合物中の空気は、前記上部開口５３及び開口部５６，５６を通って前記吸気口２３に吸い込まれ、上述したように、前記電動送風機８を通過して、前記排気孔１４から外部に排気される。吸引した空気に塵埃が含まれる場合、この塵埃は、水と共に前記流出口３５に流れ、フィルター３６によって捕捉される。吸い込まれる水の量が比較的少ない場合、即ち、塵埃が比較的乾いている場合、塵埃の一部は前記フィルター３２に捕捉される。なお、図１の使用状態において、図２に示すように、前記上部開口５３の前端５３Ａは、前記吸気口２３よりも後方に位置する。
【００５９】
なお、前述したように、前記壁部２２に衝突した水は、主として、重力により、前記前壁部正面部５２Ｂと前壁部下部５２Ｃに沿って下方に導かれ、液体タンク９内に貯留される。但し、縦向き使用時において、前記壁部２２に衝突した一部の水は、前記前壁部上部５２Ａと前記集塵ケース１１の内面との間から前記フィルター手段２４における前記本体２５上に落下する。また、同じく一部の水は左，右壁部５１，５１の外面を伝わって前記本体２５上に落下する。このとき、前記フィルター手段２４における前記本体２５は、主面２５Ｓを有し、この主面２５Ｓは、図１のように電気掃除機本体１を横向きの姿勢した際には、前記本体２５の下側（液体タンク９側）がこの上側（把手部３側）よりも後方となるよう、垂直よりも傾いた角度の面となる。即ち、前述した載置部たる蓋体５Ａの前記載置面５Ｓと、この主面２５Ｓとの距離は、上側（把手部３側）よりも下側（液体タンク９側）の方が短くなるように形成される。従って、電気掃除機本体１を縦向きの姿勢で使用した場合には、前記主面２５Ｓが、液体タンク９側に傾いているため、前記本体２５上に落下した水は、前記本体２５の傾きにより、中央の前記上部開口５３と前記開口部５６，５６を通って流出口３５に導くことができる。また、前記本体２５に前記筒状部２６を突設し、この筒状部２６の先端に吸気口２３を設けると共に、前記壁部２２が前記吸気口２３を覆うように構成したことにより、縦向き使用時において、前記前壁部上部５２Ａと前記集塵ケース１１の内面との間から落下した水が、前記吸気口２３に浸入することを防止することができる。また、このように構成したことにより、何らかの理由で前記流出口３５が塞がってしまい、前記集塵ケース１１内における水位が上昇したとしても、前記吸気口２３の高さ以下の水位であれば、水が前記吸気口２３に侵入することを防止することができる。なお、図６に示すように、前記本体２５には、正面視で、前記本体２５の左右方向中央に突条部２５Ｔが設けられ、この突条部２５Ｔの下端は、前記流出口３５へと繋がっている。これにより、前記本体２５上に落下した水は、前記突条部２５Ｔを伝って前記流出口３５へ導きやすくすることができる。
【００６０】
また、縦向き使用時の前記液体タンク９においては、水が前記流出口３５，流入口用接続口１６，タンク用接続口１７から、主として前記栓本体１２１を通って前記タンク本体１０１内に流れ込む。この際、前記内筒部１２３から前記タンク本体１０１内の空気が前記集塵ケース１１に逃げることにより、水がスムーズに前記タンク本体１０１内に流れ落ちる。この場合、前記内筒部１２３の上端は、前記栓本体１２１の上端、即ち前記タンク用接続口１７の位置より上方に突出しているから、水没し難く、スムーズに空気を排出することができる。
【００６１】
このため、図１４に示すように、前記上孔１２１Ａ及び下孔１２３Ａが水没しない高さが基準水位Ｈであり、この基準水位Ｈに対応して、図１２に示すように、前記タンク本体１０１に目盛１０１Ｈを設けている。このとき、縦向き使用時において、この目盛１０１Ｈ以下の水位であれば、その状態で電気掃除機本体１を図１のように横向きの姿勢にしたとしても、前記下孔１２３Ａが水没しないように、液体タンク９内の容積が適宜規定されている。従って、一定の水位以下であれば、前記電気掃除機本体１の姿勢を変更したとしても、前記栓本体１２１から水が逆流する虞を軽減することができる。なお、もしも前記内筒部１２３が水没しても、この内筒部１２３とこれを除いた栓本体１２１とにより互いに独立した２つの通路があるため、一方から水が流下し、他方から空気を上部に排気できる。
【００６２】
また、前記電気掃除機本体１を略図１の向きにして掃除を行う場合は、前記吸込口７９から前記吸込口１０を経由して吸引された気液混合物は、前記壁部２２に当たり、分離された水が前記壁部２２に沿って落下し、前記液体タンク９に収納される。この場合、前記フィルター手段２４の本体２５上において、水位が上昇することはない。また、空気が流れ込む前記上部開口５３に水が浸入しても、この水は下方の前記開口部５６から更に下方の前記流出口３５に落下する。この場合、前記上部開口５３から前記壁部２２内に入った水が、前記筒状部２６の外面を伝わっても、前記吸気口２３に至る前に、前記拡大部３１Ｋと鍔部３１Ｔにおいて下方に落下し、しかも、図１に示した使用状態では、前記吸気口２３が斜め下向きをなすから、吸気口２３に水が浸入することを防止できる。また、図１の状態でも、水は、主として前記栓本体１２１を通って前記タンク本体１０１内に流れ込み、この際、内筒部１２３からタンク本体１０１内の空気が逃げる。また、上向き使用時において、前記タンク本体１０１内の水位が基準水位Ｈ以下であれば、図１の状態にしても、前記タンク本体１０１内の水位は前記下孔１２３Ａの位置より下となるため、前記タンク本体１０１の水が前記栓体１０３から漏れることがない。
【００６３】
更に、乾いた状態の被清掃体を掃除する場合は、空気に含まれた塵埃が前記壁部２２に衝突された後、前記フィルター３２によって分離される。なお図１のように横向きの姿勢の状態では、塵埃は前記集塵ケース１１内の下部側に溜まる。一方、上記縦向き使用時には、塵埃は前記フィルター手段２４と前記集塵ケース１１の内面との間や、前記本体２５上等に溜まる。
【００６４】
そして、前記液体タンク９に基準水位Ｈまで水が溜まったら、前記液体タンク９を取り外して内部の液体を捨てる。この場合、取付手順とは逆に、両側の前記外片部１１６，１１６を内側に押すことより、前記係止爪部１１７と係止受部２Ｒとの係止を解除し、前記液体タンク９を後側に引き抜くようにすれば、前記係止溝部１２０から前記係止部１１９が外れ、前記本体ケース２から前記液体タンク９を取り外すことができる。そして、図１４に示した基準水位Ｈ以下であれば、取り外した前記液体タンク９の栓体１０３側を図１４の状態から逆さにしても、水位が前記上，下孔１２１Ａ，１２３Ａ未満となり、外部に水が漏れることがない。即ち、図１４において、上下を反転しても、水位Ｈは、前記上，下孔１２１Ａ，１２３Ａより下になる。
【００６５】
また、前記集塵ケース１１内に溜まった塵埃を排出する場合は、前記係止操作部６６を押して前記係止部６５と係止受部６４との係止を解除すれば、前記本体ケース２から前記集塵ケース１１を取り外すことができる。この取り外した集塵ケース１１から、前記気液分離手段２１を取り外し、集塵ケース１１内に溜まった塵埃を外部に排出する。また、前記フィルター手段２４を前記壁部２２から離すようにして、前記係止突起３７Ｔと弾性爪部４４の係止を解除することにより、前記フィルター手段２４と壁部２２とを分解し、前記フィルター３２等の洗浄を行うことができる。
【００６６】
更に、前記液体タンク９は、ブロー成形による前記タンク本体１０１を備えるが、ブロー成形では、前記本体ケース２側に係止する係止部材を設けることが難しい。そこで、前記タンク本体１０１とは別体で射出成型等により前記取付体１０２を成形し、この取付体１０２を前記タンク本体１０１に外嵌固定することにより、ブロー成形の前記タンク本体１０１に、前記係止爪部１１７，１１７及び前記係止部１１９を装備することができる。また、前記取付体１０２は、前記前板部１１１と、前記帯状部１１２と、前記係止腕部１１３,１１３と、前記内片部１１４と、前記後片部１１５と、前記外片部１１６と、前記係止爪部１１７と、前記外嵌係止部１１８と、前記係止部１１９とを全て一体に成型している。これにより、前記取付体１０２の一部品のみを前記液体タンク９に取りつけるだけで、前記本体ケース２に係止するための係止部材を前記液体タンク９に設けることができる。
【００６７】
また、前記窓用ワイパー７７に代わり、前記集塵ケース１１の受筒部７１に網戸用ブラシワイパー８１を取り付けることで、網戸等に付着した汚れを除去することもできる。
【００６８】
具体的には、図１５〜図２０に示す網戸用ブラシワイパー８１を前記掃除機本体１に接続し、その掃除機本体１の把手部３を手で握った状態で、前記本体７８の先端側に露出した前記布製ブレード８２を、被清掃体である網戸の網Ｗに近接させる。そして、前記操作部１９Ａを操作すると、前記充電式電池４から電力が供給され、前記モータ６が作動することにより、網Ｗに付着していた塵埃を含んだ空気が、前記網戸用ブラシワイパー８１の吸込口７９から本体７８内部の流通路１５１を通過し、前記掃除機本体１の吸込口１０を経由して吸い込まれてゆく。
【００６９】
このとき、前記布製ブレード８２を網Ｗに軽く押し付け、前記網戸用ブラシワイパー８１を上から下に動かしながら、前記起毛１５５を網Ｗに摺接させると、前記ねじりばね１６１の付勢力に抗して前記ブレード体１５６が上方に移動するので、前記布製ブレード８２と延出部１６６との間の吸込口７９の開口面積が大きくなって風量が増大する。そのため、前記網戸用ブラシワイパー８１を用いて網Ｗに付着した汚れを取り除いている作業中は、前記起毛１５５で擦り取られる大量の塵埃が、前記ブレード体１５６に留まることなく、吸込口７９を通して円滑に掃除機本体１側に吸引される。
【００７０】
また、前記ブレード体１５６と本体７８との間に前記ねじりばね１６１が介在しているので、前記ブレード体１５６を網Ｗに当てたときに、ねじりばね１６１がクッションとして作用し、網Ｗに対する衝撃を和らげることができる。そのため、前記ブレード体１５６から網Ｗに対して、強い力が直接加わらないようにすることができる。
【００７１】
図１９に示すように、前記網戸用ブラシワイパー８１を網Ｗに接触させて掃除を行なう場合は、前記延出部１６６からの心材８２Ａの突出長さを調整して、網Ｗと前記延出部１６６の先端との隙間Ｓを極力小さくするのが好ましい。その理由は、隙間Ｓが大きくなると、この隙間Ｓを通る気流が増え、相対的に前記網Ｗを通過する気流が減少することで、起毛１５５で擦り取られた塵埃が、吸気口７９から掃除機本体１側に吸引されずに、隙間Ｓからそのまま落下するからである。なお、図１９では、前記ブレード体１５６の初期位置と、揺動位置との中間となる仮想線Ｌが水平よりも下向きとなっているが、前記仮想線Ｌが水平よりも上向きとなる条件において、前記隙間Ｓは、前記ブレード体１５６が揺動した場合の方が、前記ブレード体１５６が初期位置にある場合よりも小さくなる。
【００７２】
また、直立した網戸の下方を掃除する場合、その網戸に対して網戸用ブラシワイパー８１が斜め上方から傾いて当接するようになり、前記延出部１６６の先端が網Ｗから次第に離れて、塵埃が落下しやすくなる。そこで本実施例では、単に前記延出部１６６からの前記心材８２Ａの突出長さを調整するだけでなく、前記ブレード体１５６の回動範囲となる角度αが、好ましくは１０°〜２０°程度となるように、前記カバー部１６７の延出長さを調整している。これにより、網戸の下方を掃除する場合であっても、前記ブレード体１５６を大きく動かして前記吸気口７９の開口面積を増やし、かつ前記隙間Ｓを小さくすれば、塵埃を途中で落下させることなく、吸気口７９から掃除機本体１側に吸引させることが可能になる。
【００７３】
一方、前記布製ブレード８２を網Ｗから離すと、前記ブレード体１５６には前記ねじりばね１６１からの付勢力だけが作用して、前記ブレード体１５６が下方に移動するので、このブレード体１５６と前記延出部１６６との間の前記吸込口７９の開口面積は狭まる。そのため、前記ブレード体１５６に残った塵埃は、前記吸込口７９の開口面積が狭くなったことで、前記ブレード体１５６に沿って前記吸込口７９に流入する気流の速度が速くなるので、前記吸込口７９から掃除機本体１へ効果的に吸い込まれて除去される。更に、前記基部１５２の下面が前記凹部１５８の内面に当接する位置にまで、前記ブレード体１５６が下方に移動すると、前記布製ブレード８２の外面下側で前記起毛１５５の先端が前記延出部１６６に接触する。つまり、前記起毛１５５が前記延出部１６６と接触するように前記ブレード体１５６を付勢しているため、前記起毛１５５に塵埃が絡み付いたとしても、前記延出部１６６が起毛１５５からの塵埃の落下を防いで、網戸用ブラシワイパー８１の周辺が塵埃で汚れるのを効果的に防止できる。また、前記流通路１５１を逆流する塵埃があったとしても、前記開口部７９に位置する多数の起毛１５５によって、塵埃が前記開口部７９からこぼれるのを抑制することができる。また、前記布製ブレード８２の下端８２Ｃは前記舌片１５４に貼り付けられるが、前記舌片１５４より後方の前記基部１５２の下面には前記布製ブレード８２を設けないようにすることで、前記吸込口７９より吸込んだ塵埃を前記布製ブレード８２の起毛に絡み付きにくくすることができる。また、前記布製ブレード８２は、前記舌片１５４の外面を覆うように湾曲して貼り付けられるが、前記布製ブレード８２の上端８２Ｂは、布製ブレード８２の下端８２Ｃよりも後方（基端開口１５１Ａ側）に位置するため、前記基部１５２の下面に布製ブレード８２を貼り付けなくても、前記基部１５２の上面に十分な範囲で前記布製ブレード８２を貼り付けることで、安定して前記布製ブレード８２を前記心材８２Ａに貼り付けることができる。また、前記基部１５２と前記舌片１５４との境界部分に前記窪み１５３を設け、この窪み１５３を前記布製ブレード８２の厚さ（起毛１５５の厚さを除き、図示しない接着層の厚さを含む）と略同等、もしくは布製ブレード８２の厚さよりも若干深く形成することで、前記舌片１５４の外面に前記布製ブレード８２が貼り付けられた際に、前記基部１５２と舌片１５４との境界部分に生じる段差を減らして、前記心材８２Ａから前記布製ブレード８２が剥がれにくくすることができる。
【００７４】
なお、図１５〜図２０に示す網戸用ブラシワイパー８１は、前記舌片１５２の外面全体が前記布製ブレード８２で覆われているが、別な変形例として、図２１や図２２に示すように、前記舌片１５４の外面上側だけを前記布製ブレード８２で覆い、前記延出部１６６に対向する前記舌片１５４の外面下側を露出させてもよい。この場合も、前記起毛１５５の長さがある程度あれば、前記ブレード体１５６が動いても、前記起毛１５５を前記網Ｗに当て続けることができるので、前記ブレード体１５６によって前記網Ｗに付着した塵埃を掻き取ることができる。なお、この場合、前記ブレード体１５６が下方に移動しても、前記延出部１６６に前記起毛１５５が接触することはない。そして、前記布製ブレード８２は前記舌片１５４の上側にのみ設けられているため、前記ブレード体１５６の下側に塵埃が残らず、前記網戸用ブラシワイパー８１の手入れを容易にすることができる。また、前記ブレード体１５６の下側に前記布製ブレード８２が設けられていないことで、前記起毛１５５に付着した塵埃が前記吸込口７９に吸引される際に、塵埃が付着した起毛１５５よりも吸込口７９側にある起毛１５５によって塵埃の吸引が妨げられないようにすることができる。
【００７５】
また、この変形例では、前記網戸用ブラシワイパー８１への塵埃の付着を少なくすることができるが、前記吸込口７９から吸引した塵埃が前記心材８２Ａの窪みに溜まりやすくなる。そこで、舌片１５４の外面上側だけを前記布製ブレード８２で覆う構成とした場合は、前記心材８２Ａに窪みを設けずに、凹凸のない滑らかな下面を形成するのが好ましい。このようにすれば、塵埃が前記心材８２Ａに付着せず、網戸用ブラシワイパー８１としての清掃性を高めることができる。
【００７６】
以上のように本発明は、掃除機本体１の先端に着脱可能に取り付けられる吸込具本体としての本体７８と、前記本体７８の先端に設けられる吸込口７９と、前記吸込口７９に設けられ、多数の起毛１５５を有するブレード体１５６と、を備え、前記ブレード体１５６が本体７８に対し回動可能に軸支される電気掃除機の吸込具となる網戸用ブラシワイパー８１において、前記ブレード体１５６が回動するのに伴い、前記吸込口７９の開口面積が可変するように構成されている。
【００７７】
この場合、前記本体７８に対して前記ブレード体１５６を回動可能に軸支した状態で吸込口７９に設けることで、被清掃体である例えば網戸の網Ｗと吸込口７９との距離を近づけた状態でブレード体１５６の起毛１５５を効率的に摺接させて、塵埃を吸込口７９から効率的に吸引することができる。しかも、単にブレード体１５６が回動するだけでなく、その回動に伴って吸込口７９の開口面積、ひいては風量が変化するので、前記起毛１５５で除去した塵埃を、本体７８から掃除機本体１へ円滑に吸引することが可能になる。
【００７８】
また、前記本体７８が付勢手段としてのねじりばね１６１を有し、吸込口７９の開口面積を狭める方向に、前記ブレード体１５６がねじりばね１６１により付勢される構成となっている。
【００７９】
この場合、前記ブレード体１５６と本体７８との間にねじりばね１６１を介在させることで、前記ブレード体１５６を被清掃体である網Ｗに当てたときに、網Ｗに対する衝撃を和らげることができる。これにより、前記ブレード体１５６から網Ｗに対して、強い力が直接加わらないようにすることが可能になる。しかも、前記ねじりばね１６１の付勢力に抗して、前記ブレード体１５６を網Ｗに押し当てているときには、前記吸込口７９の開口面積が大きく広がるので、前記起毛１５５で擦り取られる大量の塵埃を円滑に吸い込むことができ、その後で前記ブレード体１５６に残った塵埃は、前記ねじりばね１６１の付勢力により前記吸込口７９の開口面積を小さく狭めることで、前記ブレード体１５６に沿って前記吸込口７９から吸引される風速を速くして、効果的に吸い込んで除去することが可能になる。
【００８０】
更に、前記本体７８が吸込口７９の一側である下側に前記延出部１６６を有し、前記ブレード体１５６がねじりばね１６１により付勢されると、前記起毛１５５が前記延出部１６６に接触する構成となっている。
【００８１】
この場合、前記起毛１５５に塵埃が絡み付いたとしても、前記起毛１５５が前記延出部１６６に接触するように前記ブレード体１５６を付勢しているため、前記延出部１６６が前記起毛１５５からの塵埃の落下を防いで、網戸用ブラシワイパー８１の周辺が塵埃で汚れるのを効果的に防止できる。また、前記流通路１５１を逆流する塵埃があったとしても、前記開口部７９に位置する多数の起毛１５５によって、塵埃が前記開口部７９からこぼれるのを抑制することができる。
【００８２】
なお、本発明は以上の実施例に限定されるものではなく、発明の要旨の範囲内で種々の変形実施が可能である。例えば、上記実施例では、付勢手段としてねじりばね１６１を用いたが、ブレード体１５６に付勢力を与える別な構成を利用してもよい。
【符号の説明】
【００８３】
１  掃除機本体
７８  本体（吸込具本体）
７９  吸込口
８１  網戸用ブラシワイパー（吸込具）
１５５  起毛
１５６  ブレード体
１６１  ねじりばね（付勢手段）
１６６  延出部
【図１】
2016049154.tif 000003
【図２】
2016049154.tif 000004
【図３】
2016049154.tif 000005
【図４】
2016049154.tif 000006
【図５】
2016049154.tif 000007
【図６】
2016049154.tif 000008
【図７】
2016049154.tif 000009
【図８】
2016049154.tif 000010
【図９】
2016049154.tif 000011
【図１０】
2016049154.tif 000012
【図１１】
2016049154.tif 000013
【図１２】
2016049154.tif 000014
【図１３】
2016049154.tif 000015
【図１４】
2016049154.tif 000016
【図１５】
2016049154.tif 000017
【図１６】
2016049154.tif 000018
【図１７】
2016049154.tif 000019
【図１８】
2016049154.tif 000020
【図１９】
2016049154.tif 000021
【図２０】
2016049154.tif 000022
【図２１】
2016049154.tif 000023
【図２２】
2016049154.tif 000024